(57)【要約】【課題】ネットワークに接続される端末機器で、利用者がネットワークの状態を容易かつ正確に把握することができ、ネットワークの設定を行う場合には、ネットワークの知識が無い利用者でも容易に正しく、ネットワークの設定を行うことができるようにする。【解決手段】利用者が検査開始を指示すると、端末機器のＣＰＵは、検査プログラムに従って、イーサネット（登録商標）のキャリア検出やＤＮＳサーバへの接続などを行って、ネットワークの状態を検査し、確認後画面６３によって、設定が必要な項目の先頭にマーク６４〜６７を付けて、設定が必要な項目を提示する。利用者は、その項目のみを設定すればよい。ネットワークの接続状態を確認する場合には、利用者の検査開始の指示によって、端末機器のＣＰＵは、同様の検査を行って、接続状態が正常であるか否かを確認後画面として提示する。【選択図】        図５
2004310194.tif 000002
【特許請求の範囲】
【請求項１】
ネットワークに接続される端末機器におけるネットワークの状態を確認する方法であって、
ネットワークの設定状態を検査する工程と、
その検査結果に基づいて、ネットワークの設定に必要な項目をディスプレイ上に提示する工程と、
を備えるネットワーク状態確認方法。
【請求項２】
ネットワークに接続される端末機器におけるネットワークの状態を確認する方法であって、
ネットワークの接続状態を検査する工程と、
その検査結果をディスプレイ上に提示する工程と、
を備えるネットワーク状態確認方法。
【請求項３】
ネットワークに接続される端末機器であって、
ネットワークの設定状態を検査する手段と、
その検査結果に基づいて、ネットワークの設定に必要な項目をディスプレイ上に提示する手段と、
を備える端末機器。
【請求項４】
ネットワークに接続される端末機器であって、
ネットワークの接続状態を検査する手段と、
その検査結果をディスプレイ上に提示する手段と、
を備える端末機器。
【発明の詳細な説明】
【０００１】
【発明の属する技術分野】
この発明は、インターネットなどのネットワークに接続される端末機器、および、その端末機器におけるネットワークの状態を確認する方法に関する。
【０００２】
【従来の技術】
民生機器は、コンピュータ化、情報端末化およびネットワーク化が進み、インターネットなどのネットワークに接続されるものが多くなっている。
【０００３】
このようなネットワークに接続される機器で、ネットワークへの接続を確認する方法として、特許文献１（特開平９−５５７３６号公報）には、ネットワーク上のある接続点に接続してネットワークから受信した信号と、ネットワーク上の他の接続点に接続してネットワークから受信した信号とを照合して、ある接続点と他の接続点とがネットワークとして正常に接続されているか否かを識別することが示されている。
【０００４】
【特許文献１】
特開平９−５５７３６号公報。
【０００５】
【発明が解決しようとする課題】
しかしながら、ネットワークに接続される機器では、機器の設定の際、利用者はネットワークの設定を行う必要があり、ネットワークの知識が無い利用者にとっては、何をどのように設定すればよいか、判断に迷うことが多く、設定を正しく行うことができないことがある。
【０００６】
また、ネットワーク設定後についても、サーバの障害などによってネットワークの接続状態が正常な状態でなくなった場合、利用者は、その状態や原因を把握できないことがあり、どうすれば正常な接続状態となるか、わからないことがある。
【０００７】
そこで、この発明は、ネットワークに接続される端末機器において、利用者がネットワークの状態を容易かつ正確に把握することができ、ネットワークの設定を行う場合には、ネットワークの知識が無い利用者でも容易に正しく、ネットワークの設定を行うことができるようにしたものである。
【０００８】
【課題を解決するための手段】
第１の発明のネットワーク状態確認方法は、
ネットワークの設定状態を検査する工程と、
その検査結果に基づいて、ネットワークの設定に必要な項目をディスプレイ上に提示する工程と、
を備えるものである。
【０００９】
第２の発明のネットワーク状態確認方法は、
ネットワークの接続状態を検査する工程と、
その検査結果をディスプレイ上に提示する工程と、
を備えるものである。
【００１０】
上記の構成の、第１の発明のネットワーク状態確認方法では、利用者は、ディスプレイ上に提示された項目についてのみ、ネットワークの設定のためのアドレス設定などを行えばよく、コマンドを駆使して各種の設定をする場合などと比べて短時間で容易に、しかもネットワークの知識が無い利用者でも容易に正しく、ネットワークの設定を行うことができる。
【００１１】
上記の構成の、第２の発明のネットワーク状態確認方法では、利用者は、ディスプレイ上に提示された検査結果から、ネットワークの状態を容易かつ正確に把握することができる。
【００１２】
【発明の実施の形態】
〔端末機器およびネットワークシステム：図１〕
図１は、この発明の端末機器の一例、およびこれを用いたネットワークシステムの一例を示す。
【００１３】
端末機器１０は、コンピュータを搭載し、端末システム１の外部ネットワークとしてのインターネット３に接続することができるもので、ＣＰＵ１１を備え、そのバス１２に、ＣＰＵ１１が実行すべき後述の検査プログラムを含む各種プログラムや、後述のＧＵＩ（Ｇｒａｐｈｉｃａｌ  Ｕｓｅｒ  Ｉｎｔｅｒｆａｃｅ）画面の表示用データを含む各種データが、あらかじめ書き込まれるとともに、端末機器１０に取り込まれ、または端末機器１０で生成された各種のファイルやデータなどが随時、書き込まれる記憶装置１３、プログラムやデータが展開されるメモリ１４、利用者の操作や文字入力のための操作部１５、液晶ディスプレイなどの表示部１６、外部機器としての映像機器２１や音響機器２３などの接続用のインターフェース１７、およびネットワーク接続用のインターフェース１８が接続される。
【００１４】
この端末機器１０は、インターフェース１８が、端末システム１の内部ネットワーク（ＬＡＮ）としてのイーサネット（登録商標）を形成するケーブル１９によってルータ３１に接続される。
【００１５】
ルータ３１は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）によってドライブされ、デフォルトゲートウェイ３３を備えるものである。
【００１６】
ルータ３１は、ＡＤＳＬ（Ａｓｙｍｍｅｔｒｉｃ  Ｄｉｇｉｔａｌ  Ｓｕｂｓｃｒｉｂｅｒ  Ｌｉｎｅ）モデム３５、および端末システム１の外部のＩＳＰ（Ｉｎｔｅｒｎｅｔ  Ｓｅｒｖｉｃｅ  Ｐｒｏｖｉｄｅｒ）４１を介してインターネット３に接続される。
【００１７】
ＩＳＰ４１には、プライマリーＤＮＳ（Ｄｏｍａｉｎ  Ｎａｍｅ  Ｓｙｓｔｅｍ）サーバ４３、セカンダリーＤＮＳサーバ４４、ＳＭＴＰ（Ｓｉｍｐｌｅ  Ｍａｉｌ  Ｔｒａｎｓｆｅｒ  Ｐｒｏｔｏｃｏｌ）によってドライブされる送信メールサーバ４５、ＰＯＰ３（Ｐｏｓｔ  Ｏｆｆｉｃｅ  Ｐｒｏｔｏｃｏｌ  ３）によってドライブされる受信メールサーバ４６、およびプロキシー（ｐｒｏｘｙ）サーバ４７が設けられる。
【００１８】
なお、インターネット３上には、必要に応じて、固定アドレスの検査用サーバ５が接続される。
【００１９】
〔ネットワーク状態確認方法：図２〜図１５〕
上述した端末機器１０では、利用者は、以下のようにネットワークの状態を把握することができ、ネットワークの設定を行うことができる。
【００２０】
まず、利用者が操作部１５でメニュー画面を表示させる操作をすることによって、表示部１６には、図２に示すようなトップ画面５１が表示される。
【００２１】
トップ画面５１には、ネットワーク設定として、インターネット設定５３、メール設定５４、ブラウザ設定５５およびネットワーク状態確認５６が提示され、利用者が、いずれかの項目を選択し、設定確認ボタン５７を操作することによって、利用者が選択した項目の検査が実行される。
【００２２】
（インターネット設定：図３〜図８）
利用者が、図２のトップ画面５１でインターネット設定５３を選択し、設定確認ボタン５７を操作すると、最初に、図３に示すような確認前画面６１が表示され、次に、図４に示すようにトップ画面５１にオーバーレイされて確認中画面６２が表示されて、以下に示すようなインターネット設定処理が実行され、図５に示すような確認後画面６３が表示される。
【００２３】
インターネット設定処理としては、図６〜図８にインターネット設定処理１００として示すように、ＣＰＵ１１は、最初に、イーサネット（登録商標）設定処理１１０として、図６に示すような処理を実行する。
【００２４】
すなわち、まずステップ１１１で、イーサネット（登録商標）のキャリアを検出し、次にステップ１１２に進んで、キャリアが検出されたか否かを判断する。
【００２５】
そして、キャリアが検出されなかったときには、ステップ１１２からステップ１１３に進んで、上記のケーブル１９が接続されているか否かを判断し、ケーブル１９が接続されていないと判断したときには、ステップ１１３からステップ１１４に進んで、図では省略したが、表示部１６に「ケーブルが接続されているか、確認してください」というようなケーブル確認メッセージを表示して、ステップ１１１に戻る。利用者は、このメッセージが表示された場合には、ケーブル１９を接続する。
【００２６】
ステップ１１３でケーブル１９が接続されていると判断したときには、ステップ１１５に進んで、イーサネット（登録商標）速度設定にマークを付けた後、ステップ１１６に進んで、イーサネット（登録商標）速度を設定して、ステップ１１１に戻る。
【００２７】
図５の確認後画面６３では、イーサネット（登録商標）速度設定にマーク６４が付されるとともに、イーサネット（登録商標）速度が自動設定されることが表示されている。
【００２８】
このようにケーブル１９が接続され、かつイーサネット（登録商標）速度が自動設定されることによって、図６のイーサネット（登録商標）設定処理１１０では、ステップ１１２でキャリアが検出されたと判断される結果、インターネット設定処理１００は、ＤＨＣＰ設定処理１２０に移行する。
【００２９】
ＤＨＣＰ設定処理１２０では、まずステップ１２１で、ＤＨＣＰからのアドレス取得を試み、次にステップ１２２に進んで、アドレスを取得できたか否かを判断する。
【００３０】
そして、アドレスを取得できなかったときには、ステップ１２２からステップ１２３に進んで、ＤＨＣＰ設定にマークを付けた後、ステップ１２４に進んで、ＩＰ（Ｉｎｔｅｒｎｅｔ  Ｐｒｏｔｏｃｏｌ）アドレスおよびサブネットマスクを設定して、ステップ１２１に戻る。
【００３１】
図５の確認後画面６３では、ＤＨＣＰ設定にマーク６５が付されるとともに、ＤＮＳのみが手動設定されるべき（ＩＰアドレス、サブネットマスクおよびデフォルトゲートウェイのアドレスは自動設定される）ことが表示されている。
【００３２】
このようにＩＰアドレスおよびサブネットマスクが自動設定されることによって、図６のＤＨＣＰ設定処理１２０では、ステップ１２２でアドレスが取得されたと判断される結果、インターネット設定処理１００は、図７のデフォルトゲートウェイ設定処理１３０に移行する。
【００３３】
デフォルトゲートウェイ設定処理１３０では、まずステップ１３１で、現に設定されているアドレスによってデフォルトゲートウェイ３３への接続を試み、次にステップ１３２に進んで、デフォルトゲートウェイ３３に接続できたか否かを判断する。
【００３４】
そして、デフォルトゲートウェイ３３に接続できなかったときには、ステップ１３２からステップ１３３に進んで、デフォルトゲートウェイ設定にマークを付けた後、ステップ１３４に進んで、デフォルトゲートウェイ３３のアドレスを設定して、ステップ１３１に戻る。
【００３５】
このようにデフォルトゲートウェイ３３のアドレスが自動設定されることによって、図７のデフォルトゲートウェイ設定処理１３０では、ステップ１３２でデフォルトゲートウェイ３３に接続できたと判断される結果、インターネット設定処理１００は、図８のＤＮＳ設定処理１４０に移行する。
【００３６】
ＤＮＳ設定処理１４０では、まずステップ１４１で、プライマリーＤＮＳサーバ４３に接続し、次にステップ１４２に進んで、所定のＵＲＬ（ＵｎｉｆｏｒｍＲｅｓｏｕｒｃｅ  Ｌｏｃａｔｏｒ）によって所定のＩＰアドレスを取得できたか否かを判断する。
【００３７】
そして、所定のＩＰアドレスを取得できなかったときには、ステップ１４２からステップ１４３に進んで、プライマリーＤＮＳ（ＤＮＳ１）設定にマークを付けた後、ステップ１４４で、利用者の手動設定を待って、ステップ１４１に戻る。
【００３８】
図５の確認後画面６３では、ＤＮＳ１（プライマリーＤＮＳ）設定にマーク６６が付されている。この場合、利用者は、操作部１５での操作によって、プライマリーＤＮＳサーバ４３のアドレスを確認後画面６３のＤＮＳ１のアドレス欄に入力する。このとき、設定反映ボタン６８を操作することによって、利用者が入力したアドレスをプライマリーＤＮＳ設定に反映させることができる。また、復元ボタン６９を操作することによって、アドレスを元に戻すことができる。
【００３９】
このように利用者が正しいアドレスを入力することによって、図８のＤＮＳ設定処理１４０では、ステップ１４２で所定のＩＰアドレスが取得されたと判断される結果、ステップ１４２からステップ１４５に進んで、セカンダリーＤＮＳサーバ４４に接続し、さらにステップ１４６に進んで、所定のＩＰアドレスを取得できたか否かを判断する。
【００４０】
そして、所定のＩＰアドレスを取得できなかったときには、ステップ１４６からステップ１４７に進んで、セカンダリーＤＮＳ（ＤＮＳ２）設定にマークを付けた後、ステップ１４８で、利用者の手動設定を待って、ステップ１４５に戻る。
【００４１】
図５の確認後画面６３では、ＤＮＳ２（セカンダリーＤＮＳ）設定にマーク６７が付されている。この場合、利用者は、操作部１５での操作によって、セカンダリーＤＮＳサーバ４４のアドレスを確認後画面６３のＤＮＳ２のアドレス欄に入力する。このときも、設定反映ボタン６８を操作することによって、利用者が入力したアドレスをセカンダリーＤＮＳ設定に反映させることができる。
【００４２】
このように利用者が正しいアドレスを入力することによって、図８のＤＮＳ設定処理１４０では、ステップ１４６で所定のＩＰアドレスが取得されたと判断されて、ＤＮＳ設定処理１４０を終了し、インターネット設定処理１００を終了する。
【００４３】
以上の方法によれば、端末機器１０のＣＰＵ１１の処理によって、表示部１６上に、利用者の設定が必要な項目が提示され、利用者は、その項目のみを設定すればよいので、容易に正しくインターネットの設定を行うことができる。
【００４４】
なお、上述した例のイーサネット（登録商標）設定処理１１０は、イーサネット（登録商標）速度が自動設定される場合であるが、例えば、図５の確認後画面６３にイーサネット（登録商標）速度のメニューを設けて、利用者がルータ３１に合わせてイーサネット（登録商標）速度を設定するように構成してもよい。
【００４５】
また、上述した例は、ＤＮＳのみを手動設定（利用者による設定）とする場合であるが、ＤＮＳを含めて全ての設定項目がＤＨＣＰによって自動設定されるように構成し、またはＤＮＳを含めて全ての設定項目を手動設定（利用者による設定）とするように構成してもよい。
【００４６】
また、上述した例のデフォルトゲートウェイ設定処理１３０は、現に設定されているアドレスにデフォルトゲートウェイが存在するか否かを判断する場合であるが、図１に示した検査用サーバ５への接続を試みて、ルータ３１がデフォルトゲートウェイとして機能するか否かを判断するように構成してもよい。
【００４７】
さらに、上述した例は、デフォルトゲートウェイ設定処理１３０およびＤＮＳ設定処理１４０をインターネット設定処理１００の一部とする場合であるが、デフォルトゲートウェイ設定処理１３０およびＤＮＳ設定処理１４０をインターネット設定処理１００に対して独立した処理とすることもできる。その場合には、図２のトップ画面５１に、ネットワーク設定として、デフォルトゲートウェイ設定およびＤＮＳ設定を加える。
【００４８】
（プロキシー設定：図９）
図１のネットワークシステムのように端末機器１０がプロキシーサーバ４７を経由してインターネット３に接続する場合には、上述したインターネット設定処理１００の一部として、またはインターネット設定処理１００に対して独立した処理として、ＣＰＵ１１が以下のようなプロキシー設定処理を実行するように構成する。
【００４９】
図９に、そのプロキシー設定処理の一例を示す。このプロキシー設定処理１５０では、まずステップ１５１で、現に設定されているアドレスによってプロキシーサーバ４７への接続を試み、次にステップ１５２に進んで、プロキシーサーバ４７に接続できたか否かを判断する。
【００５０】
そして、プロキシーサーバ４７に接続できなかったときには、ステップ１５２からステップ１５３に進んで、プロキシー設定にマークを付けた後、ステップ１５４に進んで、プロキシーサーバ４７のアドレスを設定して、ステップ１５１に戻る。図５の確認後画面６３では、このプロキシー設定は省略した。
【００５１】
なお、プロキシーサーバ４７のアドレスも、手動設定（利用者による設定）とすることができる。
【００５２】
また、プロキシーサーバ４７としては、アクセスされたとき、応答を返さないものもある。このような場合には、図１に示した検査用サーバ５への接続を試みて、プロキシーサーバ４７が機能するか否かを判断するように構成する。
【００５３】
（メール設定：図１０および図１１）
利用者が、図２のトップ画面５１でメール設定５４を選択し、設定確認ボタン５７を操作すると、図１０に示すようなメール設定処理が実行される。
【００５４】
すなわち、図１０のメール設定処理１６０では、まずステップ１６１で、受信メールサーバ（ＰＯＰ３）４６のポートに接続し、次にステップ１６２に進んで、ポートから応答があるか否かを判断する。
【００５５】
そして、ポートから応答がないときには、ステップ１６２からステップ１６３に進んで、図５の確認後画面６３と同様のメール設定用の確認後画面の受信メール設定にマークを付けた後、ステップ１６４で、利用者の手動設定を待って、ステップ１６１に戻る。
【００５６】
利用者は、操作部１５での操作によって、受信メールサーバ４６のアドレスをメール設定用の確認後画面の受信メールサーバのアドレス欄に入力する。
【００５７】
これによって、メール設定処理１６０では、ステップ１６２でポートから応答があると判断される結果、ステップ１６２からステップ１６５に進んで、送信メールサーバ（ＳＭＴＰ）４５のポートに接続し、さらにステップ１６６に進んで、ポートから応答があるか否かを判断する。
【００５８】
そして、ポートから応答がないときには、ステップ１６６からステップ１６７に進んで、メール設定用の確認後画面の送信メール設定にマークを付けた後、ステップ１６８で、利用者の手動設定を待って、ステップ１６５に戻る。
【００５９】
利用者は、操作部１５での操作によって、送信メールサーバ４５のアドレスをメール設定用の確認後画面の送信メールサーバのアドレス欄に入力する。
【００６０】
これによって、メール設定処理１６０では、ステップ１６６でポートから応答があると判断されて、メール設定処理１６０を終了する。
【００６１】
メール設定処理の別の例として、端末機器１０から図１に示した検査用サーバ５にメールを送信して、送信メールサーバ４５および受信メールサーバ４６が機能するか否かを判断するように構成してもよい。
【００６２】
図１１に、この場合のメール設定用の確認後画面の例を示す。この確認後画面７１では、送信元メールアドレスとして端末機器１０のアドレスが示され、送信先メールアドレスとして検査用サーバ５のアドレスが示されるとともに、受信メール設定および送信メール設定にマーク７３および７４が付され、利用者は、マーク７３および７４に従って、受信メールサーバ４６および送信メールサーバ４５のアドレスを入力する。
【００６３】
以上の例は、メール設定処理をインターネット設定処理に対して独立した処理とする場合であるが、以上のようなメール設定処理をインターネット設定処理の一部とすることもできる。
【００６４】
（ブラウザ設定：図１２）
利用者が、図２のトップ画面５１でブラウザ設定５５を選択し、設定確認ボタン５７を操作すると、表示部１６には、図１２に示すようなブラウザ設定画面８１が表示され、利用者は、ブラウザ設定状態を確認することができる。
【００６５】
（ネットワーク接続状態の確認：図１３〜図１５）
上述したようなネットワーク設定後、ＤＮＳサーバ４３，４４などのサーバの障害などによってネットワークの接続状態が正常な状態でなくなった場合、利用者は、図２のトップ画面５１を開き、ネットワーク状態確認５６を選択することによって、ネットワークの接続状態を確認することができる。
【００６６】
この場合、最初に、表示部１６に、図１３に示すような確認前画面９１が表示される。この確認前画面９１では、本機（イーサネット（登録商標）の状態）、ＤＨＣＰ、デフォルトゲートウェイ、ＤＮＳ１（プライマリーＤＮＳ）、ＤＮＳ２（セカンダリーＤＮＳ）、送信メールサーバ（ＳＭＴＰ）、受信メールサーバ（ＰＯＰ３）、およびプロキシーサーバの項目が設けられ、それぞれの項目に対して、未確認状態または確認結果を示す表示９５、および不具合の詳細を提示するためのボタン９６が設けられる。
【００６７】
利用者は、この確認前画面９１で、試行ボタン９７を操作する。
【００６８】
これによって、端末機器１０のＣＰＵ１１は、上述したネットワーク設定処理（図６に示したイーサネット（登録商標）設定処理１１０、ＤＨＣＰ設定処理１２０、図７に示したデフォルトゲートウェイ設定処理１３０、図８に示したＤＮＳ設定処理１４０（プライマリーＤＮＳ設定処理、セカンダリーＤＮＳ設定処理）、図１０に示したメール設定処理１６０（送信メール設定処理、受信メール設定処理）、および図９に示したプロキシー設定処理１５０）における検査と同様の検査を実行する。
【００６９】
具体的に、この場合は、ネットワークの接続状態を確認するので、イーサネット（登録商標）速度や各種アドレスの設定は実行せず、例えば、ＤＮＳ１（プライマリーＤＮＳ）であれば、プライマリーＤＮＳサーバ４３に接続し、所定のＩＰアドレスを取得できたか否かによって、プライマリーＤＮＳサーバ４３との接続状態が正常であるか否かを判断する。
【００７０】
検査が実行されると、表示部１６には、図１３の確認前画面９１に代えて、図１４に示すような確認後画面９２が表示される。この例は、本機、ＤＨＣＰ、デフォルトゲートウェイ、ＤＮＳ１およびＤＮＳ２につき、検査が実行された場合で、そのうち、本機、ＤＨＣＰおよびデフォルトゲートウェイは、異常がなく、表示９５が「ＯＫ」とされ、ＤＮＳ１およびＤＮＳ２は、異常があり、表示９５が「ＮＧ」とされた場合である。
【００７１】
この結果を見て、利用者が、例えば、「ＮＧ」とされたＤＮＳ１の項目のボタン９６を操作すると、表示部１６には、あらかじめ用意されているデータによって、図１５に示すような不具合提示画面９３が表示され、利用者は、ＤＮＳ１（プライマリーＤＮＳ）についての障害の原因を把握し、適切な措置を講じることができる。
【００７２】
【発明の効果】
上述したように、この発明によれば、ネットワークに接続される端末機器において、利用者は、ネットワークの状態を容易かつ正確に把握することができ、ネットワークの設定を行う場合には、ネットワークの知識が無い利用者でも容易に正しく、ネットワークの設定を行うことができる。
【図面の簡単な説明】
【図１】この発明の端末機器の一例を用いたネットワークシステムの一例を示す図である。
【図２】ネットワーク設定用のトップ画面の一例を示す図である。
【図３】インターネット設定の確認前画面の一例を示す図である。
【図４】インターネット設定の確認中画面の一例を示す図である。
【図５】インターネット設定の確認後画面の一例を示す図である。
【図６】インターネット設定処理の一例の一部を示す図である。
【図７】インターネット設定処理の一例の一部を示す図である。
【図８】インターネット設定処理の一例の一部を示す図である。
【図９】プロキシー設定処理の一例を示す図である。
【図１０】メール設定処理の一例を示す図である。
【図１１】メール設定の確認後画面の一例を示す図である。
【図１２】ブラウザ設定画面の一例を示す図である。
【図１３】ネットワーク状態確認の確認前画面の一例を示す図である。
【図１４】ネットワーク状態確認の確認後画面の一例を示す図である。
【図１５】ネットワーク状態確認の不具合提示画面の一例を示す図である。
【符号の説明】
主要部については図中に全て記述したので、ここでは省略する。
【図１】
2004310194.tif 000003
【図２】
2004310194.tif 000004
【図３】
2004310194.tif 000005
【図４】
2004310194.tif 000006
【図５】
2004310194.tif 000007
【図６】
2004310194.tif 000008
【図７】
2004310194.tif 000009
【図８】
2004310194.tif 000010
【図９】
2004310194.tif 000011
【図１０】
2004310194.tif 000012
【図１１】
2004310194.tif 000013
【図１２】
2004310194.tif 000014
【図１３】
2004310194.tif 000015
【図１４】
2004310194.tif 000016
【図１５】
2004310194.tif 000017